(57)【特許請求の範囲】
【請求項１】
カレンダロール下流に複数のテークオフロールが隣接し、該テークオフロールにより、シートをカレンダロールより引き取り、半凝縮状態から凝固状態まで保持するカレンダ設備において、
テークオフロール上のシート両端部に接してシートを幅方向外方に拡げるシュリンク防止装置を備え、
前記シュリンク防止装置は、上流側のテークオフロールの両端部に接する少なくとも１対のタッチロールからなり、
該タッチロールは、軸心を中心に自由回転可能に支持された円筒部と、該円筒部の外周部に設けられた螺旋状の突起部とからなり、該螺旋状突起部により、シートを幅方向外方に拡げるようになっている、ことを特徴とするカレンダ設備。
【請求項２】
前記螺旋状突起部は、円筒部に接着された螺旋状の耐熱ゴムからなる、ことを特徴とする請求項１に記載のカレンダ設備。
【発明の詳細な説明】
【０００１】
【発明の属する技術分野】
本発明は、シートやフィルムの縮みを防止するシュリンク防止装置を備えたカレンダ設備に関する。
【０００２】
【従来の技術】
カレンダ設備（又はカレンダ）は、数本の加熱ロールを配列した圧延機械であり、塩化ビニル樹脂等の熱可塑性樹脂を使用してシートやフィルム（以下、以下、単にシートという）を成形したり、布や紙などの上にプラスチックを被覆するために用いられる。加熱ロール（カレンダロールと呼ぶ）は一般に２〜６本を組み合わせ、そのロールの配列には逆Ｌ形、Ｌ形、Ｓ形、Ｚ形、傾斜Ｚ形、Ｍ形等がある。
【０００３】
図４は、フィルム用のカレンダ設備の模式図であり、カレンダ１で成形し、テークオフロール２でシート３を引き取り、エンボス装置４でエンボス加工してワインダ５に巻取るようになっている。
【０００４】
【発明が解決しようとする課題】
上述したように、熱可塑性物質を扱うカレンダー設備では、カレンダロールの下流にテークオフロール２が隣接し、このテークオフロール２により、半凝縮状態のシートをカレンダーロールより引き取り、更に凝固状態のシート３にするようになっている。このテークオフロール２は、通常、５〜６本程度のロール群より構成されている。
【０００５】
テークオフロール２の上流側の特に第１段目では、半凝縮状態のシートがカレンダーロールよりテークオフロール２に乗り移る際に、熱収縮や負荷張力の変動によりシート３の幅端部が収縮したり、この部分にしわが発生することがある。そのため、端部を切断する必要が生じたり、成形品全体が不良品となることがあり、生産性が大幅に低下する問題点があった。
【０００６】
本発明はかかる問題点を解決するために創案されたものである。すなわち、本発明の目的は、幅端部に収縮やしわを発生させることなく、半凝縮状態のシートをカレンダロールからテークオフロールに引き取ることができ、カレンダ設備の生産性を高めることができるシュリンク防止装置を備えたカレンダ設備を提供することにある。
【０００７】
【課題を解決するための手段】
本発明によれば、カレンダロール下流に複数のテークオフロールが隣接し、該テークオフロールにより、シートをカレンダロールより引き取り、半凝縮状態から凝固状態まで保持するカレンダ設備において、テークオフロール上のシート両端部に接してシートを幅方向外方に拡げるシュリンク防止装置を備え、前記シュリンク防止装置は、上流側のテークオフロールの両端部に接する少なくとも１対のタッチロールからなり、該タッチロールは、軸心を中心に自由回転可能に支持された円筒部と、該円筒部の外周部に設けられた螺旋状の突起部とからなり、該螺旋状突起部により、シートを幅方向外方に拡げるようになっている、ことを特徴とするカレンダ設備が提供される。
【０００８】
上記本発明の構成によれば、シュリンク防止装置を備え、このシュリンク防止装置が、テークオフロール上のシート両端部に接してシートを幅方向外方に拡げるようになっているので、半凝縮状態のシート端部をテークオフロールに密着させて空気層（隙間）の形成を防止し、同時にシートを幅方向外方に拡げることにより、幅端部の収縮やしわの発生を防止することができる。
【０００９】
タッチロールは、例えば、第１〜第３段目のテークオフロールの巻き付け開始点に設ける。また、このタッチロールは、カレンダーロールフレームに支持バーを介して取り付け、テークオフロールへの押付けは、自重、バネ力，その他の手段により、テークオフロールに所定の押付け力が発生するように取り付ける。
【００１０】
また上記構成により、両端部に接する少なくとも１対のタッチロールが、テークオフロール上のシート両端部に接して自由回転することにより、螺旋状突起部の回転により、シートを幅方向外方に拡げることができる。
【００１１】
前記螺旋状突起部は、円筒部に接着された螺旋状の耐熱ゴムからなる、ことが好ましい。耐熱ゴムは、例えばシリコンゴム、フッ素ゴム等であり、この構成により、シートに圧痕を付けることがなく、押付け時のニップ幅を大きくして拡幅力を作用させることができる。
【００１２】
【発明の実施の形態】
以下、本発明の好ましい実施形態を図面を参照して説明する。なお、各図において共通する部分には同一の符号を付して使用する。
図１は、本発明によるシュリンク防止装置を備えたカレンダ設備の構成図である。この図において、カレンダ設備１０は、カレンダロール１１の下流に複数（この図で７本）のテークオフロール１２が互いに僅かな間隔を隔てて隣接しており、このテークオフロール１２により、シート３をカレンダロール１１より引き取り、半凝縮状態から凝固状態まで保持するようになっている。
【００１３】
図１におけるカレンダは、６本ロールカレンダであり、そのうち第５カレンダロールと第６カレンダロールが図示されている。各カレンダロール１１は、シート３（例えば塩化ビニル樹脂のシート又はフィルム）を半凝縮状態に保持する温度（例えば約２００℃）に温水又は蒸気により加熱されている。また、テークオフロール１２は、カレンダロールよりも僅かに低い温度（例えば約１７０℃）に加熱され、シート３が凝固状態になるまでその形状を保持するようになっている。
【００１４】
半凝縮状態のシート３は、わずかな張力を作用させても引張方向に伸びて薄くなったり、幅方向に縮む問題が生じる。そのため、第６カレンダロール１１と最上流に位置するテークオフロール１２との間、及び各テークオフロール１２の間は、シート３の厚さよりも僅かに大きい隙間（例えば数ミリ）に保持され、シート３をロール表面に接触させた状態で凝固させ、下流のエンボス装置に導くようになっている。
【００１５】
図１において、本発明のカレンダ設備１０は、更に、テークオフロール１２上のシート両端部に接してシート３を幅方向外方に拡げるシュリンク防止装置１４を備えている。このシュリンク防止装置１４は、この実施形態では、最上流に位置するテークオフロール１２とその下流の２本のテークオフロールに設けられている。
【００１６】
図２は、シュリンク防止装置１４の側面図である。この図に示すように、シュリンク防止装置１４は、上流側のテークオフロール１２の両端部に接する少なくとも１対（この実施形態では３対）のタッチロール１６からなる。すなわち、図１に示すように、この実施形態では、上流側の１本目と３本目のテークオフロール１２の上部に２対のタッチロール１６が下向きに設けられ、２本目のテークオフロール１２の下部に１対のタッチロール１６が上向きに設けられている。これらのタッチロール１６は、例えば、第１〜第３段目のテークオフロールの巻き付け開始点に設ける。また、このタッチロール１６は、カレンダーロールフレーム（図示せず）に支持バー１６ａを介して取り付け、テークオフロール１２への押付けは、自重、バネ力，その他の手段により、テークオフロールに所定の押付け力が発生するように取り付ける。
【００１７】
図３は、図２のシュリンク防止装置１４の詳細図である。この図に示すように、タッチロール１６は、軸心を中心に図示しない軸受により自由回転可能に支持された円筒部１７と、円筒部１７の外周部に設けられた螺旋状の突起部１８とからなる。この例において、円筒部１７は金属製であり、螺旋状突起部１８は、円筒部に接着された螺旋状の耐熱ゴム（例えば、シリコンゴム、フッ素ゴム等）からなる。各テークオフロール１２に接するそれぞれ１対のタッチロール１６は、互いに逆向きの螺旋状突起部１８を有し、その回転により、図２に矢印で示すように、シートを幅方向外方に拡げるようになっている。
【００１８】
上述した本発明の構成によれば、テークオフロール１２の両端部に接する少なくとも１対のタッチロール１６が、テークオフロール１２上のシート両端部に接して自由回転することにより、螺旋状突起部１８の回転により、シートを幅方向外方に拡げることができ、半凝縮状態のシート端部をテークオフロールに密着させて空気層（隙間）の形成を防止し、同時にシートを幅方向外方に拡げることにより、幅端部の収縮やしわの発生を防止することができる。
【００１９】
また、螺旋状突起部１８を、円筒部１７に接着された螺旋状の耐熱ゴムで構成することにより、シートに圧痕を付けることがなく、押付け時のニップ幅を大きくして拡幅力を作用させることができる。
【００２０】
なお、本発明は上述した実施形態に限定されず、本発明の要旨を逸脱しない範囲で種々変更できることは勿論である。
【００２１】
【発明の効果】
上述したように、本発明のシュリンク防止装置を備えたカレンダ設備は、シートの幅端部に収縮やしわを発生させることなく、半凝縮状態のシートをカレンダロールからテークオフロールに引き取ることができ、カレンダ設備の生産性を高めることができる等の優れた効果を有する。
【図面の簡単な説明】
【図１】本発明によるシュリンク防止装置を備えたカレンダ設備の構成図である。
【図２】図１のシュリンク防止装置の側面図である。
【図３】図２のシュリンク防止装置の詳細図である。
【図４】従来のフィルム用のカレンダ設備の模式図である。
【符号の説明】
１  カレンダ
２  テークオフロール
３  シート（シート又はフィルム）
４  エンボス装置
５  ワインダ
１０  カレンダ設備
１１  カレンダロール
１２  テークオフロール
１４  シュリンク防止装置
１６  タッチロール
１７  円筒部
１８  螺旋状突起部
【図１】
0003698182.tif 000002
【図２】
0003698182.tif 000003
【図３】
0003698182.tif 000004
【図４】
0003698182.tif 000005